(57)【要約】      （修正有）【課題】納税額により、希望者が、その額に応じて、自慢できる指標を設け、また、法人、個人事業においては、会社の顔と成る様なポイントを与える仕組みを、提供する。【解決手段】納税に対しポイントやクラス、ステータスを与え、クラス、ステータスの分かるカードや商品を持って貰う。【選択図】なし【特許請求の範囲】
【請求項１】
納税に対しポイントやクラス、ステータスを授与し、クラス、ステータスの分かるポイントカードに貯めて貰い、クラス毎に、カードデザインが違ったり、クラス、ステータスが、分かる商品を持って貰う事で、ステータスを保障する、ポイント及びクラス、ステータスとそのカード、及びステータス、クラスが分かる商品
【請求項２】
インターネットにアクセスページを設け、業者番号と、アフィリ番号で出来たアクセス番号を、客が入力ＢＯＸに入力してアクセスして、契約に至った場合にアフィリエーターにリベートが支払われるもの。
【発明の詳細な説明】
【技術分野】
【０００１】本発明は、納税に対しポイントとクラス、ステータスを与える技術に関する
【背景技術】
【０００２】本発明は、特願２０１４−１２０９６１における、ラポのアイデアを発展させたものであるが、特許請求の範囲を超えてしまった為、新たに出願し、権利を主張するものである。
【先行技術文献】
【０００３】
【特許文献】
【特許文献】特願２０１４−１２０９６１
【発明の概要】
【発明が解決しようとする課題】
【０００４】納税に対し、納税者は、直接的見返り、メリットがなく、個人情報保護法により、長者番付もなくなった今、税負担だけがのしかかって来るので、納税額により、希望者が、その額に応じて、自慢できる指標を設け、また、法人、個人事業においては、会社の顔と成る様なポイントを考える。
【発明を解決する手段】
【０００５】税金に対して国に代わり、ラポＴＡＸと言うポイントをラポ事業者が与えます。
所得税や、法人税その他納税に、個人のＴＡＸと事業者用のＣｏＴＡＸ，と言うポイントを設け、１万円に付き１ＴＡＸ、つけ、以下の様なクラスを設けて、そのクラスのステータスカードや、ラポタックスステータスブランド商品を販売します。
ラポカードには、ＬｏｐｏＴＡＸ  ＬｏｐｏＣｏＴＡＸ．のブランドマークと、ステータス名、所有者名前、クラス記号が表記され、カードの色、ブランドマーク及びステータス名の色、名前の色等の色が、カード毎に違っていて、見ただけで、ステータスが分かるステータスカードに成っています。また、それらステータスブランドが表記された事務用品、かばん、バック、財布、などを、ステータスブランド商品として販売します。少々高く付きますが、さりげなく、ステータスを示せます。
たとえば、Ｌｏｐｏ，ＤｉａｍｏｎｄＱオリジナルＤＣ１（ＴＡＸ）の様に商品に表記します。
Ｌｏｐｏの部分だけがブランドマークで表記されます。ラポダイアモンドクイーン（キング）カスタム１万ＴＡＸであるとわかります。あるいは、オリジナルの表記部分を名前にします。
また、別段一列に表記する必要はありません。ラポタックスオリジナルブランドステータスとして定着させます。
ラポステータス文具を子供に持たせるのに、少々高くても買うと思います。
会社の事務用品なら、経費で落とせ、また、大量注文で安くなる事もあるでしょうし、会社の覇気向上を願って注文もあると思います。
税務署に掛け合って、納税に喜びをとした、宣伝ポスターを掲げて貰い宣伝する。
【０００６】カードデザインは別表
個人ＴＡＸクラス分けは、以下で、ＣｏＴＡＸは、かける１００で、どちらも、累計で表記します。累計は、ラポＴＡＸ販売初年度まで、実費を払ってさかのぼれますが、それ以前のものは、無効とします。
ラポイエット  １０級    １ＴＡＸ（１万円）以下
９級    １ＴＡＸ以上
８級    ２ＴＡＸ以上で次から１ＴＡＸずつ上がる。累計は１千円単位
１級    ９ＴＡＸ以上
オープンクラス  １０級    １０ＴＡＸ（１０万円）以上
９級    ２０ＴＡＸ
１０ＴＡＸずつあがり、
１級    １００ＴＡＸ
セミオープン    １０級    １１０ＴＡＸ  なお、１００ＴＡＸからＣｏＴＡＸに切り替                          えられ１ＣｏＴＡＸ。ただし、累計は、１０万円単位になる                          。
９級    １２５ＴＡＸ  １５ＴＡＸずつ上がり
１級    ２４５ＴＡＸ
スタンダード    １０級    ３００ＴＡＸ（３００万円）
９級    ３４０万ＴＡＸ
４０ＴＡＸずつ上がり、
１級    ６６０ＴＡＸ
カスタム        １０級    ７００ＴＡＸ（７００万円）
９級    ７５０ＴＡＸ
５０ＴＡＸずつ上がり
１級    １１５０ＴＡＸ
ミドルカスタム    １０級  １２００ＴＡＸ
９級  １３００ＴＡＸ
１級  ２１００ＴＡＸ（２１００万）
エクセレント      １０級  ２５００ＴＡＸ（２５００万）
９級  ３０００ＴＡＸ
１級  ７５００ＴＡＸ
セミミドルエクセレント  １０級  ８０００ＴＡＸ（８０００万）
９級  ８５００ＴＡＸ
１級  １２５００ＴＡＸ
ミドルエクセレント      １０級  １３０００ＴＡＸ
９級  １３５００ＴＡＸ
１級  １７５００ＴＡＸ
プリンス・プリンセス    １０級  １８０００ＴＡＸ  ここから上の累計は１万単位
９級  １９０００ＴＡＸ
１級  ２７０００ＴＡＸ
セミミドルプリンス・
プリンセス              １０級  ３００００ＴＡＸ
９級  ３３０００ＴＡＸ
１級  ５７０００ＴＡＸ
ミドルプリンス・プリ
ンセス                  １０級  ６００００ＴＡＸ
９級  ６５０００ＴＡＸ
１級  １０５０００ＴＡＸ
セミエクセレントプリ
ンス・プリンセス        １０級  １１００００ＴＡＸ
９級  １１５０００ＴＡＸ
１級  １５５０００ＴＡＸ
エクセレントプリ
ンス・プリンセス          １０級  １６００００ＴＡＸ（１６億）
９級  １６５０００ＴＡＸ
１級  ２１００００ＴＡＸ
セミエターナルプリ
ンス・プリンセス          １０級  ２１５０００ＴＡＸ
９級  ２２００００ＴＡＸ
１級  ２６００００ＴＡＸ
エターナルプリン
ス・プリンセス            １０級  ２６５０００ＴＡＸ
９級  ２７００００ＴＡＸ
１級  ３１００００ＴＡＸ
ダイアモンドプリ
ンス・プリンセス
Ｄｉａ                      ３２００００ＴＡＸ
Ｄｉａ１０                  ３３００００ＴＡＸ
Ｄｉａ９０                  ４１００００ＴＡＸ
ア・パワーラポクラス（クラス記号Ｐｗ１）    ４２００００ＴＡＸ
１０パワーラポクラス（Ｐｗ１０）        ４３００００ＴＡＸ
１００パワーラポクラス（Ｐｗ１００）      ４４００００ＴＡＸ
１０００パワーラポクラス（ＰｗＣ）        ４５００００ＴＡＸ
２０００パワーラポクラス（ＰｗＢ）        ４６００００ＴＡＸ
３０００パワーラポクラス（ＰｗＡ）        ４７００００ＴＡＸ
ラポダイアモンドクイーン（キング）カスタム１万フレンド
４８００００ＴＡＸ
２万フレンド
４９００００ＴＡＸ
９万フレンド
５６００００ＴＡＸ
ラポダイアモンドクイーン（キング）エクセレント１０万フレンド
５７００００ＴＡＸ
２０万フレンド
５８００００ＴＡＸ
９０万フレンド
６５００００ＴＡＸ
ＯＮＥラポダイアモンドクイーン（キング）        ６６００００ＴＡＸ
ＴＷＯラポダイアモンドクイーン（キング）        ６７００００ＴＡＸ
ひとつ上がる毎に１０００ＴＡＸ
ＮＩＮＥ                                          ７４００００ＴＡＸ
ウルトララポダイアモンドクイーン（キング）Ｕ００  ７５００００ＴＡＸ
Ｕ０１  ７６００００ＴＡＸ
Ｕ９９  １７４００００ＴＡＸ
ミラクルラポダイアモンドクイーン（キング）ＭＲ００  １７５００００ＴＡＸ
ＭＲ０１  １７６００００ＴＡＸ
ＭＲ９９  ２７４００００ＴＡＸ
マスターラポダイアモンドクイーン（キング）ＭＳ００  ２７５００００ＴＡＸ
ＭＳ０１  ２７６００００ＴＡＸ
ＭＳ９９  ３７４００００ＴＡＸ
ＯＮＥゴッドラポダイアモンドクイーン（キング）    ３７５００００ＴＡＸ
ＴＷＯ                                            ３７６００００ＴＡＸ
ゴッドの前の数字が上がる毎に１０００ＴＡＸずつ上がる。
クラス記号
ラポイエット（Ｌｏｐｏ．ｙｅｔ）
１０級は、Ｙ１０      Ｌｏｐｏ，ｙｅｔオリジナルＹ１０（ＴＡＸ）
ラポオープンステータス（ＬｏｐｏＯｐｅｎ）
オープンクラス１０級は、Ｏｐ１０
スタンダードステータス（ＬｏｐｏＳｔａｎｄａｒｄ）
スタンダード１０級Ｓｔ１０
カスタムステータス（ＬｏｐｏＣｕｓｔｏｍ）
カスタム１０級  Ｃ１０  ミドルカスタム１０級  ＭＣ１０
エクセレントステータス（ＬｏｐｏＥｘｃｅｌｌｅｎｔ）
エクセレント１０級  Ｅ１０  セミミドルエクセレント１０級ｓＭＥ１０
ミドルエクセレント１０級ＭＥ１０
以下級は数字で表す。
プリンス・プリンセスローステータス  Ｐｒｉｎｃｅ（Ｌ）  Ｐｒｉｎｃｅｓｓ（Ｌ）
プリンス・プリンセス（Ｐ）  セミミドルプリンス（ｓＭＰ）
ミドルプリンス（ＭＰ）
プリンス・プリンセスハイステータス  Ｐｒｉｎｃｅ（Ｈ）  Ｐｒｉｎｃｅｓｓ（Ｈ）
セミエクセレントプリンス（ｓＥＸＰ）  エクセレントプリンス（ＥＸＰ）
セミエターナルプリンス（ｓＥＴＰ）  エターナルプリンス（ＥＴＰ）
ダイアモンドプリンス・プリンセスステータスＬｏｐｏＤ．Ｐｒｉｎｃｅ  ＬｏｐｏＤ．Ｐｒｉｎｃｅｓｓ
ダイアモンドプリンス・プリンセス
クラス記号Ｄｉａ  Ｄｉａ１０  Ｄｉａ２０〜Ｄｉａ９０まで
パワーラポクラス及びステータスは以下の様に成っています。
パワーラポステータス（ＬｏｐｏＰｏｗｅｒ）
ア・パワーラポクラス（クラス記号Ｐｗ１）
１０パワーラポクラス（Ｐｗ１０）
１００パワーラポクラス（Ｐｗ１００）
１０００パワーラポクラス（ＰｗＣ）
２０００パワーラポクラス（ＰｗＢ）
３０００パワーラポクラス（ＰｗＡ）
ラポダイアモンドステータス（ＬｏｐｏＤｉａｍｏｎｄ）
１〜９パワーラポ（クラスは、ダイアモンドカスタムでクラス記号（ＤＣ１〜９）
１０〜９０（ダイアモンドエクセレントで記号ＤＥ１０，ＤＥ２０）
ＯＮＥラポダイアモンドクイーン（キング）と呼び、ＬｏｐｏＤｉａｍｏｎｄオリジナル  ＯＮＥ
次がＴＷＯで、以上ＮＩＮＥまである。
ウルトララポダイアモンドステータス（Ｕ．ＬｏｐｏＤｉａｍｏｎｄ）
クラスはＵ００〜Ｕ９９まである。
ミラクルラポダイアモンドステータス（ＭＲ．ＬｏｐｏＤｉａｍｏｎｄ）
クラスはＭＲ００〜ＭＲ９９まである。
マスターラポダイアモンドステータス（ＭＳ．ＬｏｐｏＤｉａｍｏｎｄ）
ＭＴ００〜ＭＴ９９
ゴッドラポダイアモンドステータス
ＯＮＥ．Ｇｏｄ．ＬｏｐｏＤｉａｍｏｎｄ  、ＴＷＯ．Ｇｏｄ．ＬｏｐｏＤｉａｍｏｎｄと際限なく上がって行きイレブンは、１１ＧｏｄＬｏｐｏＤｉａと表記される。ＯＮＥＧｏｄＬｏｐｏＤｉａ相川七瀬  Ｇ００（ＴＡＸ）と表記される。
個人事業者、法人のＣｏ．ＴＡＸは、掛ける１００倍でクラスが決まる。
ラポタックスは、国への貢献度であり、自慢の対象でもあり、税金を支払う唯一の喜びと成り、また、新たな指標となる。
個人事業から法人に成った場合、累計を引き継ぐ。
法人に限らず屋号でも法人扱いにしてＣｏＴＡＸを持てます。
事業者は、年会費や、実費、経費を取って営むが、クラス、ステータスが上がる毎に年会費は、高くなる。
【０００７】ここからは、ラポ事業部が、ラポＴＡＸをラポ事業の一環として行う場合の話であるが、カードは、個人ＴＡＸは、自分で持つものだが、Ｃｏ．ＴＡＸは、カードを自販機に挿入すると、法人の基本情報にアクセスできる様になっていて、配って使うものにしても良い。また、Ｃｏ．ＴＡＸのラポブランド商品を買って、配るなどする事も出来る。
ラポＴＡＸステータスブランド商品として、
ＴＡＸ、ＣｏＴＡＸの表記は後ろに持ってきて、．ＬｏｐｏＤｉａｍｏｎｄ丸一商事ＤＣ１（ＣｏＴＡＸ）の様に表記する。なお、使用に当たっては、特許及び商標利用料、システム利用料として年会費を必要とする。配布用カードは、別途購入で、複数枚購入出来る。なお、カードが高くつく場合には配布用カードを安価に作る。また、自販機で会社情報にアクセスできるようにする。カードには、ラポステータス、発行年度と累計年数、会社番号、検索キーワードを記載する。会社情報には、代表する商品、サービスが載せられ、宣伝に利用出来る。配布用カードは、会社情報にアクセスするだけなので安価に作れる。携帯や、パソコンからもアクセス出来れば良いのですが、携帯はＱＲコードで、行けますが、パソコンは、ラポＴＡＸホームページのアドレスまたは、検索キーワードをカードに載せ、ラポＴＡＸホームページで、カードに記載された３ケタのローマ字と５ケタの番号で出来た会社番号を会社検索ＢＯＸに入力してアクセスする。検索キーワードは、ラポＴＡＸが良いと思います。このラポ配布用カードを配布し、パソコン又は、携帯でアクセスすると、会社基本情報のページが開きます。事前の契約で、営業ページにリンクするか決めておいて、営業ページのリンクをクリックすると、営業ページにリンクします。自販機でのリンクは、自販機の混雑が問題になるので、パソコン、携帯からのアクセスに絞り、キーワード及び、ＱＲコードと、会社番号をカードに記載し、会社番号入力ＢＯＸに番号を入力すると、会社情報ページになり、営業ページにアクセス、をクリックして、営業ページにアクセスします。サービス及び、商品が購入出来ます。それとは、別に、その営業ページに導くアフィリエーターを導入する事も、出来ます。普通のアフィリエートと違い、サイトに導き、契約が取れると、予め決めておいたパーセンテージをラポ事業部が受け取り、半額アフィリエーターに支払われます。事前に、ラポ事業部と契約して、なされるものです。
先ほどと違う会社番号（業者番号）と８ケタのアフィリ番号で出来たアクセス番号で、アクセスし、精算されると、事前の設定で、アフィリエーターとラポ事業部に何％支払うか決定しておいて、ラポ事業部と半々でラポ事業部を通して支払われます。なお、会社基本ページに、その会社の、アクセス番号を掲載する事が出来、この番号でアクセスした場合、その会社は、負担が半分に成ります。
なお、アクセス番号入力により購入した場合ポイントスマイルラポを３％付けます。精算すると、ラポサービス番号が、表示され、それをメモして、ラポ自販機でポイントスマイルラポ受け取りを選んで、ラポサービス番号を入力すると、加算されます。アフィリエーターは、それを強みに宣伝出来る。たとえば、ポイントスマイルラポ３％プレゼントと銘打って、会社名と業種、自分のアクセス番号を載せたホームページを立ち上げるなどし、ラポＴＡＸホームページで、アクセス番号を入力するよう指示します。アフィリエーターは、ラポＴＡＸホームページで、登録し、アフィリ番号を取得し、業者検索で、業種、地域等、リベート等から検索し、営業ホームページを閲覧して、気にいった業者の業者番号を取得して、アクセス番号を完成して、宣伝します。
なお、アクセス番号でアクセスした場合、会社基本情報には行かず直接営業ページに行く為、会社のアクセス番号は、見られなくなっているので、安心してアフィリエートが出来ます。会社は、独自に自社をアフィリエートする事に成ります。
【０００８】クラス                      カード部色      名まえ    ブランド文字色
ラポイェト全級                      白              黒        黒
オープン全級                        白              青        赤
スタンダード
４級    青            白              黄
３級    青            白              赤
２級    青            黄              白
１級    青            赤              黄
カスタム以上は、ブローチ式で
カスタム                          銀            黒              赤
ミドルカスタム                    銀            青              赤
エクセレント                      銀            黄              赤
セミミドルエクセレント            銀            緑              赤
ミドルエクセレント    ．，        銀            赤              青
プリンスｏｒプリンセス          ピンク          黒              青
セミミドルプリンスｏｒ
プリンセス            ，        ピンク          青              赤
ミドルプリンスｏｒ
プリンセス                      ピンク          緑              青
セミエクセレントプリンスｏｒ
プリンセス                    黄            黒              黒
エクセレントプリンスｏｒ
プリンセス                    黄            青              赤
セミエターナルプリンスｏｒ
プリンセス                    黄            緑              赤
エターナルプリンスｏｒ
プリンセス                    黄            赤              黄色
ダイアモンドプリンスｏｒ
プリンセス                    赤            青              黄
ア・パワーラポ                緑              黒              黒
１０パワーラポ                緑              ピンク          黒
１００パワーラ                緑              赤                青
１０００パワーラ              紫              白                黄色
２０００パワーラポ            紫              ピンク            黄色
３０００パワーラポ            紫              黄色              赤
クイーンカスタム        チェック              黄                青
クイーンエクセレント      ゼブラ柄              黒                赤
ＯＮＥ〜ＮＩＮＥダイアモンド  ヒョウ柄（黄）  赤              青
ウルトラダイアモンド  青が映える夜空の地に      黄              赤
ピンク花柄                黄              赤
ミラクルダイアモンド  緑に赤の花柄              白              黄
マスターダイアモンド    紫に赤の花柄            緑                青
ゴッドダイアモンド      金                      赤              青
【発明実施の形態】
【０００９】ラポＴＡＸを望む場合、コンビニ又は税務署設置のラポＴＡＸ依頼書書面に、必要事項と、納税証明証をコピーし、ラポ事業部に送ります。認められると、会費、カード代金の請求が来て、支払うと、カードが送られて来ます。また、ラポＴＡＸステータスブランド商品のカタログが送られて来ますので、必要なら購入します。
ＣｏＴＡＸは、必要事項と納税証明書を送ると、請求書が来て、会費を納めると、会社情報が、自販機で閲覧できるように成ります。また、インターネットでも出来るように成り、営業ホームページを望む場合、ＣｏＴＡＸラポページに行き手続きをします。会社情報からのリンクとホームページスペースが、利用出来るようになります。また、商品の精算ページが使える様に成り、マニュアルに従って、ホームページを立ち上げます。
消費者は、チラシやカードで配布されている検索キーワードを、Ｇｏｏｇｌｅ等の検索キーワードに入れて、検索サイトにアクセスします。
業種や、地域による検索か、会社検索、アクセス番号による一発検索で、会社のページにアクセスします。そこには、営業ホームページがあるので、そこのホームページで、商品の購入や、発注をします。精算される時、アフィリ固有番号に従い、リベートが、ラポ事業部とアフィリエーターに支払われます。なおアフィリエーターを必要としない場合は、設定でそうします。ホームページ製作マニュアルに従ってアフィリエーター登録スペースを設けます。
配布用ラポカードは、基本的に、業者の会社番号が載っていて、会社検索でよびだせます。アフィリエーターは、アフィリエートコードを取得し、ラポＴＡＸサイトで、会社を選び、業者番号を知り、業者番号のあとに、アフィリエート番号を繋げてアクセスコードを完成させ、アフィリエートを行います。
【発明の効果】
【００１０】納税に喜びが生まれる。納税意識が高まって、貢献に力が入る。
ラポステータスブランドは、内心の喜びと成る。
あらたな、会社の指標が生まれる。